(57)【要約】【課題】複数本の信号線を導通させることが可能であるにも関わらず、布や基板等の取付け対象物に占める専有面積が抑えられる電気コネクタ及び電気コネクタ対を提供する。【解決手段】プラグ型スナップボタン２００において、プラグコンタクト部２４０は、第１プラグコンタクト２１０、第２プラグコンタクト２２０、及び第３プラグコンタクト２３０によって構成されている。第１プラグコンタクト２１０、第２プラグコンタクト２２０、及び第３プラグコンタクト２３０が互いに絶縁され、かつそれらの各々をプラグハウジング２５０とリセプタクルハウジングとが嵌合する嵌合方向に投影した投影領域が重なりを有するように、第１プラグコンタクト２１０、第２プラグコンタクト２２０、第３プラグコンタクト２３０が嵌合方向に積み重ねられている状態で、プラグコンタクト部２４０がプラグハウジング２５０に保持されている。【選択図】図５
2019121512.tif 000002
【特許請求の範囲】
【請求項１】
相手電気コネクタが備える相手ハウジングと嵌合する絶縁性のハウジングと、
前記ハウジングに保持されており、前記ハウジングが前記相手ハウジングと嵌合したときに、前記相手電気コネクタにおいて、前記相手ハウジングに保持されている複数の相手コンタクトの各々と電気的に接触するコンタクト部と、を備え、
前記コンタクト部が、前記相手コンタクト毎に、該相手コンタクトと電気的に接触するために設けられた導電性のコンタクトによって構成されており、
前記コンタクト部を構成する複数の前記コンタクトが互いに絶縁され、かつ複数の前記コンタクトの各々を前記ハウジングと前記相手ハウジングとが嵌合する嵌合方向に投影した投影領域が重なりを有するように、複数の前記コンタクトが前記嵌合方向に積み重ねられている状態で、前記コンタクト部が前記ハウジングに保持されている、
電気コネクタ。
【請求項２】
前記嵌合方向に平行な平面視において、複数の前記コンタクトが、各々の長手方向を表す仮想延在軸線を、前記ハウジングにおける前記嵌合方向に延びる仮想中心軸線の位置で互いに交差させている状態で、前記コンタクト部が前記ハウジングに保持されている、
請求項１に記載の電気コネクタ。
【請求項３】
前記嵌合方向に平行な平面視において、複数の前記コンタクトの前記仮想延在軸線が、前記仮想中心軸線周りの周方向に関して均等な交差角度を隔てて配置されている状態で、前記コンタクト部が前記ハウジングに保持されている、
請求項２に記載の電気コネクタ。
【請求項４】
複数の前記コンタクトの各々が、前記相手コンタクトと電気的に接触する部分以外の部分において、前記ハウジングから露出した露出部を有し、
前記露出部に、導電性の線状材を通すための挿通孔が形成されている、
請求項１から３のいずれか１項に記載の電気コネクタ。
【請求項５】
請求項１に記載の電気コネクタと、
前記電気コネクタと嵌合する前記相手電気コネクタと、を備え、
前記相手電気コネクタにおいて、複数の前記相手コンタクトが互いに絶縁され、かつ複数の前記相手コンタクトの各々を前記嵌合方向に投影した投影領域が重なりを有するように、複数の前記相手コンタクトが前記嵌合方向に積み重ねられている状態で、複数の前記相手コンタクトが前記相手ハウジングに保持されている、
電気コネクタ対。
【請求項６】
互いに電気的に接触する前記コンタクトと前記相手コンタクトの少なくともいずれかの、他方と電気的に接触する部分が、前記嵌合方向に平行な平面視で、前記ハウジングにおける前記嵌合方向に延びる仮想中心軸線を囲む形状をなしていることにより、互いに嵌合した前記ハウジングと前記相手ハウジングとが、前記仮想中心軸線周りに相対回転した場合にも、前記コンタクトと前記相手コンタクトとの電気的な接触が維持される、
請求項５に記載の電気コネクタ対。
【発明の詳細な説明】
【技術分野】
【０００１】
本発明は、電気コネクタ及び電気コネクタ対に関する。
【背景技術】
【０００２】
特許文献１に開示されるように、導電性を有する第１の布に縫い付けられる雄型スナップボタンと、導電性を有する第２の布に縫い付けられる雌型スナップボタンとを備える電気コネクタ対が知られている。それら雄型スナップボタンと雌型スナップボタンとが嵌合することにより、第１の布と第２の布とが導通される。
【先行技術文献】
【特許文献】
【０００３】
【特許文献１】特開２０１５−１３５７２３号公報
【発明の概要】
【発明が解決しようとする課題】
【０００４】
上記電気コネクタ対においては、雄型スナップボタンと雌型スナップボタンの各々が導電性を有する一体物の部材よりなる。このため、雄型スナップボタンと雌型スナップボタンの各々は、電気的には単一のコンタクトとしての役割しか果たし得ない。従って、上記電気コネクタ対では、１本の信号線しか導通させることができない。
【０００５】
一方、１つの電気コネクタ対で複数本の信号線を導通させるには、雄型スナップボタンと雌型スナップボタンの各々が、信号線の本数に等しい個数のコンタクトが互いに絶縁された状態で配列された構成を備える必要がある。このため、雄型スナップボタンと雌型スナップボタンの各々の、布に占める専有面積が増大しがちである。
【０００６】
専有面積が増大すると、雄型スナップボタン又は雌型スナップボタンを取り付ける取付け対象物が例えば衣類である場合に、美観を損ねる。また、一般に、取付け対象物が衣類である場合に限らず、衣類以外の布や基板等の場合にも、専有面積をできるだけ抑えることが望まれる。
【０００７】
本発明の目的は、複数本の信号線を導通させることが可能であるにも関わらず、布や基板等の取付け対象物に占める専有面積が抑えられる電気コネクタ及び電気コネクタ対を提供することである。
【課題を解決するための手段】
【０００８】
上記目的を達成するために、本発明の第１の観点に係る電気コネクタは、
相手電気コネクタが備える相手ハウジングと嵌合する絶縁性のハウジングと、
前記ハウジングに保持されており、前記ハウジングが前記相手ハウジングと嵌合したときに、前記相手電気コネクタにおいて、前記相手ハウジングに保持されている複数の相手コンタクトの各々と電気的に接触するコンタクト部と、を備え、
前記コンタクト部が、前記相手コンタクト毎に、該相手コンタクトと電気的に接触するために設けられた導電性のコンタクトによって構成されており、
前記コンタクト部を構成する複数の前記コンタクトが互いに絶縁され、かつ複数の前記コンタクトの各々を前記ハウジングと前記相手ハウジングとが嵌合する嵌合方向に投影した投影領域が重なりを有するように、複数の前記コンタクトが前記嵌合方向に積み重ねられている状態で、前記コンタクト部が前記ハウジングに保持されている。
【０００９】
前記嵌合方向に平行な平面視において、複数の前記コンタクトが、各々の長手方向を表す仮想延在軸線を、前記ハウジングにおける前記嵌合方向に延びる仮想中心軸線の位置で互いに交差させている状態で、前記コンタクト部が前記ハウジングに保持されてもよい。
【００１０】
前記嵌合方向に平行な平面視において、複数の前記コンタクトの前記仮想延在軸線が、前記仮想中心軸線周りの周方向に関して均等な交差角度を隔てて配置されている状態で、前記コンタクト部が前記ハウジングに保持されてもよい。
【００１１】
複数の前記コンタクトの各々が、前記相手コンタクトと電気的に接触する部分以外の部分において、前記ハウジングから露出した露出部を有し、
前記露出部に、導電性の線状材を通すための挿通孔が形成されていてもよい。
【００１２】
本発明の第２の観点に係る電気コネクタ対は、
上述した第１の観点に係る電気コネクタと、
前記電気コネクタと嵌合する前記相手電気コネクタと、を備え、
前記相手電気コネクタにおいて、複数の前記相手コンタクトが互いに絶縁され、かつ複数の前記相手コンタクトの各々を前記嵌合方向に投影した投影領域が重なりを有するように、複数の前記相手コンタクトが前記嵌合方向に積み重ねられている状態で、複数の前記相手コンタクトが前記相手ハウジングに保持されている。
【００１３】
互いに電気的に接触する前記コンタクトと前記相手コンタクトの少なくともいずれかの、他方と電気的に接触する部分が、前記嵌合方向に平行な平面視で、前記ハウジングにおける前記嵌合方向に延びる仮想中心軸線を囲む形状をなしていることにより、互いに嵌合した前記ハウジングと前記相手ハウジングとが、前記仮想中心軸線周りに相対回転した場合にも、前記コンタクトと前記相手コンタクトとの電気的な接触が維持されてもよい。
【発明の効果】
【００１４】
上記構成によれば、互いに絶縁された複数のコンタクトによってコンタクト部が構成されているため、複数本の信号線を導通させることが可能である。また、それら複数のコンタクトは、各々を嵌合方向に投影した投影領域が重なりを有するように嵌合方向に積み重ねられているため、布や基板等の取付け対象物に占める専有面積が抑えられる。
【図面の簡単な説明】
【００１５】
【図１】実施形態に係る電気コネクタ対の斜視図。
【図２】実施形態に係る電気コネクタ対の、図１のＡＡ−ＡＡ線の位置での断面図。
【図３】実施形態に係るリセプタクル型スナップボタンの製造プロセスを示す概念図。
【図４】実施形態に係るリセプタクル型スナップボタンの平面図。
【図５】実施形態に係るプラグ型スナップボタンの製造プロセスを示す概念図。
【図６】実施形態に係るプラグ型スナップボタンの平面図。
【図７Ａ】実施形態に係る電気コネクタ対の、リセプタクル型スナップボタンとプラグ型スナップボタンとが嵌合した状態における図１のＡＡ−ＡＡ線の位置での断面図。
【図７Ｂ】実施形態に係る電気コネクタ対の、リセプタクル型スナップボタンとプラグ型スナップボタンとが嵌合した状態における図６のＢＢ−ＢＢ線の位置での断面図。
【図８Ａ】他の実施形態に係る電気コネクタ対の断面図。
【図８Ｂ】さらに他の実施形態に係る電気コネクタ対の断面図。
【発明を実施するための形態】
【００１６】
以下、図面を参照し、本発明の一実施形態に係る電気コネクタ対について説明する。図中、同一又は対応する部分に同一の符号を付す。
【００１７】
図１に示すように、本実施形態に係る電気コネクタ対３００は、相手電気コネクタとしてのリセプタクル型スナップボタン１００と、相手電気コネクタに嵌合する電気コネクタとしてのプラグ型スナップボタン２００とを備える。
【００１８】
リセプタクル型スナップボタン１００は、このリセプタクル型スナップボタン１００とプラグ型スナップボタン２００とが嵌合する方向（以下、嵌合方向という。）に延びる仮想中心軸線ＲＶを中心とした略円柱状の外形を有する。
【００１９】
プラグ型スナップボタン２００も同様に、嵌合方向に延びる仮想中心軸線ＰＶを中心軸とした略円柱状の外形を有する。プラグ型スナップボタン２００の直径は、リセプタクル型スナップボタン１００の直径と略等しい。リセプタクル型スナップボタン１００とプラグ型スナップボタン２００とが嵌合したとき、仮想中心軸線ＲＶ及びＰＶが、同一の仮想直線上に重なる。
【００２０】
図２に示すように、リセプタクル型スナップボタン１００は、導電性の布（以下、導電布という。）ＣＬに取り付けられ、プラグ型スナップボタン２００は、基板ＢＤに取り付けられる。導電布ＣＬは、ユーザに着用されるウエアにおいて、生体信号を検出するプローブを構成しており、基板ＢＤは、そのプローブで検出された生体信号を電磁波に乗せて、スマートフォンやパーソナルコンピュータといった外部機器に出力するトランスミッタを構成している。
【００２１】
導電布ＣＬは、互いに絶縁された複数の配線が導電性の繊維によって形成された構造を有し、基板ＢＤも、互いに絶縁された複数の配線がプリントされた構造を有する。具体的には、本実施形態では、導電布ＣＬと基板ＢＤの各々は、３本の配線を備えている。
【００２２】
電気コネクタ対３００は、それら導電布ＣＬが備える３本の配線の各々と、基板ＢＤが備える３本の配線の各々とを、電気的に接続する役割を果たす。また、電気コネクタ対３００は、トランスミッタとしての基板ＢＤを、ウエアの一部としての導電布ＣＬに、機械的に取り付けるスナップボタンとしての役割も果たす。
【００２３】
即ち、リセプタクル型スナップボタン１００とプラグ型スナップボタン２００は、スナップフィットの態様で嵌合し、両者が嵌合しているときは、ユーザがランニング等の運動を行っても、導電布ＣＬに対する基板ＢＤの機械的及び電気的な接続が維持される。
【００２４】
なお、ウエアを洗濯する場合等には、ユーザがリセプタクル型スナップボタン１００とプラグ型スナップボタン２００との嵌合を解除することで、トランスミッタをウエアから取り外すことができる。
【００２５】
以上のように、電気コネクタ対３００によれば、３本の信号線を導通させることができる。そのために、リセプタクル型スナップボタン１００とプラグ型スナップボタン２００の各々は、互いに絶縁された３個のコンタクトを備える。従来、このように複数のコンタクトを備えた構成は、取付け対象物としての導電布ＣＬや基板ＢＤに占める専有面積の増大を招きがちであった。
【００２６】
そこで、本実施形態に係る電気コネクタ対３００は、３本の信号線を導通させることが可能であるにも関わらず、取付け対象物に占める専有面積が抑えられるようにした構成を有する。以下、この構成について具体的に説明する。
【００２７】
まず、リセプタクル型スナップボタン１００の構成について説明する。
【００２８】
リセプタクル型スナップボタン１００は、導電布ＣＬが備える３本の配線の各々と電気的に接続される相手コンタクト部としてのリセプタクルコンタクト部１４０と、リセプタクルコンタクト部１４０を保持する絶縁性の相手ハウジングとしてのリセプタクルハウジング１５０とを備える。
【００２９】
リセプタクルコンタクト部１４０は、導電布ＣＬが３本の配線を備えることに対応して、各々相手コンタクトとしての、第１リセプタクルコンタクト１１０、第２リセプタクルコンタクト１２０、及び第３リセプタクルコンタクト１３０の３つによって構成されている。これら３つが、導電布ＣＬが備える３本の配線と１対１の関係で電気的に接続される。
【００３０】
リセプタクルハウジング１５０は、第１リセプタクルコンタクト１１０、第２リセプタクルコンタクト１２０、及び第３リセプタクルコンタクト１３０を、互いに絶縁された状態で保持している。
【００３１】
なお、図２には、第１リセプタクルコンタクト１１０と第２リセプタクルコンタクト１２０については、一部のみが示されている。以下、図３に示す製造プロセスに沿って、リセプタクル型スナップボタン１００の構成を詳細に説明する。
【００３２】
図３に示すように、第１リセプタクルコンタクト１１０の上方に、第２リセプタクルコンタクト１２０が配置され、さらに第２リセプタクルコンタクト１２０の上方に、第３リセプタクルコンタクト１３０が配置される。ここで、図３において“上方”とは、仮想中心軸線ＲＶに平行な嵌合方向のうち、図２に示すプラグ型スナップボタン２００に近づく向きを指す。
【００３３】
なお、第１リセプタクルコンタクト１１０と第２リセプタクルコンタクト１２０との間、及び第２リセプタクルコンタクト１２０と第３リセプタクルコンタクト１３０との間には、それぞれ間隔が確保される。
【００３４】
以上のようにして、第１リセプタクルコンタクト１１０、第２リセプタクルコンタクト１２０、及び第３リセプタクルコンタクト１３０が、嵌合方向に間隔をあけて積み重ねられた状態に支持される。なお、その支持に使用する冶具については図示を省略している。
【００３５】
次に、その積み重ねられた第１リセプタクルコンタクト１１０、第２リセプタクルコンタクト１２０、及び第３リセプタクルコンタクト１３０を図示せぬ金型に収容し、リセプタクルハウジング１５０の材料である樹脂を金型に注入する。これにより、第１リセプタクルコンタクト１１０、第２リセプタクルコンタクト１２０、及び第３リセプタクルコンタクト１３０が、各々部分的に樹脂に埋め込まれた状態となる。
【００３６】
また、第１リセプタクルコンタクト１１０と第２リセプタクルコンタクト１２０との嵌合方向の間隔、及び第２リセプタクルコンタクト１２０と第３リセプタクルコンタクト１３０との間の嵌合方向の間隔にそれぞれ樹脂が進入し、第１リセプタクルコンタクト１１０、第２リセプタクルコンタクト１２０、及び第３リセプタクルコンタクト１３０が互いに絶縁された状態となる。
【００３７】
次に、樹脂が固化した後、金型を取り外すことにより、第１リセプタクルコンタクト１１０、第２リセプタクルコンタクト１２０、及び第３リセプタクルコンタクト１３０がリセプタクルハウジング１５０によって保持された状態のリセプタクル型スナップボタン１００が完成する。以上のように、リセプタクル型スナップボタン１００は、インサート成型法を経て製造される。
【００３８】
このようにして成型されたリセプタクルハウジング１５０は、図２に示すプラグ型スナップボタン２００と嵌合する形状を有する。具体的には、リセプタクルハウジング１５０は、プラグ型スナップボタン２００を受け入れる凹部１５１と、凹部１５１に進入したプラグ型スナップボタン２００に弾性的に押し付けられる弾接部１５２とを有する。
【００３９】
弾接部１５２は、凹部１５１を画定するように凹部１５１の周囲に立ち上がっており、嵌合方向に平行な平面視においては、仮想中心軸線ＲＶを囲む形状をなす。弾接部１５２は、仮想中心軸線ＰＶを中心とする径方向に弾性を有する。弾接部１５２に適度な弾性をもたせるために、弾接部１５２には、各々仮想中心軸線ＲＶと平行に延びる複数のスリット１５３が、仮想中心軸線ＲＶ周りの周方向に等間隔で形成されている。
【００４０】
図２に示すように、弾接部１５２は、仮想中心軸線ＲＶに近づく径方向内方に膨らんだ形状の膨出部１５４を有する。膨出部１５４が径方向内方にプラグ型スナップボタン２００に押し付けられ、プラグ型スナップボタン２００とスナップフィットする。
【００４１】
以下、図３に戻って、第１リセプタクルコンタクト１１０、第２リセプタクルコンタクト１２０、及び第３リセプタクルコンタクト１３０の各々の形状と、これらのリセプタクルハウジング１５０における相対的な配置関係とについて詳細に説明する。
【００４２】
第１リセプタクルコンタクト１１０、第２リセプタクルコンタクト１２０、及び第３リセプタクルコンタクト１３０の各々は、嵌合方向に平行な平面視において、一方向を長手方向とする形状をなしている。
【００４３】
第１リセプタクルコンタクト１１０は、その長手方向を表す仮想延在軸線ＲＬ１が、仮想中心軸線ＲＶと直交するように配置される。
【００４４】
第１リセプタクルコンタクト１１０は、仮想延在軸線ＲＬ１に沿って延びる薄板状の本体部１１１と、本体部１１１の長手方向の中間部において、上方に立ち上がった接触部１１２とを有する。接触部１１２は、嵌合方向に平行な平面視で、仮想中心軸線ＲＶを囲む形状をなす。接触部１１２は、図２に示すプラグ型スナップボタン２００と電気的に接触するために、リセプタクルハウジング１５０から露出される。
【００４５】
本体部１１１は、その長手方向の両端に、リセプタクルハウジング１５０から露出する露出部１１３を有する。露出部１１３は、取付け対象物としての図２に示す導電布ＣＬに接触するように、下方に湾曲した形状を有する。ここで、図３において“下方”とは、仮想中心軸線ＲＶに平行な嵌合方向のうち、図２に示すプラグ型スナップボタン２００から遠ざかる向きを指す。また、各々の露出部１１３には、嵌合方向に貫通した挿通孔１１４が形成されている。挿通孔１１４の意義については後述する。
【００４６】
第２リセプタクルコンタクト１２０は、この第２リセプタクルコンタクト１２０と第１リセプタクルコンタクト１１０の各々を嵌合方向に投影した投影領域が互いに重なりを有するように、第１リセプタクルコンタクト１１０の上方に積み重ねられる。
【００４７】
具体的には、第２リセプタクルコンタクト１２０は、その長手方向を表す仮想延在軸線ＲＬ２が、仮想中心軸線ＲＶと直交し、かつ嵌合方向に平行な平面視において、仮想中心軸線ＲＶの位置で第１リセプタクルコンタクト１１０の仮想延在軸線ＲＬ１と交差するように、第１リセプタクルコンタクト１１０の上方に積み重ねられる。
【００４８】
第２リセプタクルコンタクト１２０は、仮想延在軸線ＲＬ２に沿って延びる薄板状の本体部１２１と、本体部１２１の長手方向の中間部において、上方に立ち上がった接触部１２２とを有する。接触部１２２は、嵌合方向に平行な平面視で、仮想中心軸線ＲＶと、第１リセプタクルコンタクト１１０の接触部１１２とを囲む形状をなす。接触部１２２は、図２に示すプラグ型スナップボタン２００と電気的に接触するために、リセプタクルハウジング１５０から露出される。
【００４９】
本体部１２１は、その長手方向の両端に、リセプタクルハウジング１５０から露出する露出部１２３を有する。露出部１２３は、取付け対象物としての図２に示す導電布ＣＬに接触するように、下方に湾曲した形状を有する。また、各々の露出部１２３には、嵌合方向に貫通した挿通孔１２４が形成されている。挿通孔１２４の意義については後述する。
【００５０】
また、本体部１２１は、リセプタクルハウジング１５０に対するぐらつきを抑制して姿勢の安定化を図るために、嵌合方向に平行な平面視で、仮想延在軸線ＲＬ２と交差する方向、具体的には、第１リセプタクルコンタクト１１０の仮想延在軸線ＲＬ１と平行な方向に張り出した張り出し部１２５を有する。張り出し部１２５は、インサート成型時にリセプタクルハウジング１５０内に埋没する。
【００５１】
第３リセプタクルコンタクト１３０は、この第３リセプタクルコンタクト１３０と第２リセプタクルコンタクト１２０と第１リセプタクルコンタクト１１０の各々を嵌合方向に投影した投影領域が互いに重なりを有するように、第２リセプタクルコンタクト１２０の上方に積み重ねられる。
【００５２】
具体的には、第３リセプタクルコンタクト１３０は、その長手方向を表す仮想延在軸線ＲＬ３が、仮想中心軸線ＲＶと直交し、かつ嵌合方向に平行な平面視において、仮想中心軸線ＲＶの位置で第１リセプタクルコンタクト１１０の仮想延在軸線ＲＬ１及び第２リセプタクルコンタクト１２０の仮想延在軸線ＲＬ２と交差するように、第２リセプタクルコンタクト１２０の上方に積み重ねられる。
【００５３】
第３リセプタクルコンタクト１３０は、仮想延在軸線ＲＬ３に沿って延びる薄板状の本体部１３１と、本体部１３１の長手方向の中間部において、上方に立ち上がった接触部１３２を有する。接触部１３２は、嵌合方向に平行な平面視で、仮想中心軸線ＲＶと、第１リセプタクルコンタクト１１０の接触部１１２と、第２リセプタクルコンタクト１２０の接触部１２２とを囲む形状をなす。接触部１３２は、図２に示すプラグ型スナップボタン２００と電気的に接触するために、リセプタクルハウジング１５０から露出される。
【００５４】
本体部１３１は、その長手方向の両端に、リセプタクルハウジング１５０から露出する露出部１３３を有する。露出部１３３は、取付け対象物としての図２に示す導電布ＣＬに接触するように、下方に湾曲した形状を有する。また、各々の露出部１３３には、嵌合方向に貫通した挿通孔１３４が形成されている。挿通孔１３４の意義については後述する。
【００５５】
また、本体部１３１は、リセプタクルハウジング１５０に対するぐらつきを抑制して姿勢の安定化を図るために、嵌合方向に平行な平面視で仮想延在軸線ＲＬ３と交差する方向、具体的には、第２リセプタクルコンタクト１２０の仮想延在軸線ＲＬ２と平行な方向に張り出した張り出し部１３５を有する。張り出し部１３５は、インサート成型時にリセプタクルハウジング１５０内に埋没する。
【００５６】
以上のように、嵌合方向に平行な平面視において、第１リセプタクルコンタクト１１０、第２リセプタクルコンタクト１２０、及び第３リセプタクルコンタクト１３０が、各々を嵌合方向に投影した投影領域が重なりを有するように、仮想延在軸線ＲＬ１、ＲＬ２、及びＲＬ３を仮想中心軸線ＲＶの位置で互いに交差させている状態で、リセプタクルコンタクト部１４０がリセプタクルハウジング１５０に保持されている。
【００５７】
図４に示すように、具体的には、仮想延在軸線ＲＬ１、ＲＬ２、及びＲＬ３は、嵌合方向に平行な平面視において、仮想中心軸線ＲＶ周りの周方向に関して均等な交差角度θ＝６０°を隔てて配置されている。
【００５８】
つまり、仮想延在軸線ＲＬ１とＲＬ２の交差角度、仮想延在軸線ＲＬ１とＲＬ３の交差角度、及び仮想延在軸線ＲＬ２とＲＬ３の交差角度は、いずれもθ＝６０°である。ここで本明細書において交差角度とは、互いに交差する２つの直線の成す角度α、１８０°−αのうち、小さい方の角度を意味するものとする（但し、α＝９０°の場合は、交差角度は９０°とする）。
【００５９】
このように、仮想延在軸線ＲＬ１、ＲＬ２、及びＲＬ３が均等な交差角度θ＝６０°を隔てて配置されているため、第１リセプタクルコンタクト１１０の一対の露出部１１３の各々に形成された挿通孔１１４、第２リセプタクルコンタクト１２０の一対の露出部１２３の各々に形成された挿通孔１２４、及び第３リセプタクルコンタクト１３０の一対の露出部１３３の各々に形成された挿通孔１３４が、仮想中心軸線ＲＶ周りの周方向に均等に配置されている。
【００６０】
これら挿通孔１１４、１２４、及び１３４は、リセプタクル型スナップボタン１００の取り付けに利用される。具体的には、図２に示すように、導電性の線状材としての導電性の糸（以下、導電糸という。）ＣＴを挿通孔１３４に挿通させ、その挿通させた導電糸ＣＴによってリセプタクル型スナップボタン１００を導電布ＣＬに縫い付ける。
【００６１】
なお、図２には、図４に示す挿通孔１１４、１２４、及び１３４のうちの、挿通孔１３４のみが現れているが、挿通孔１１４及び１２４にも同様に導電糸ＣＴを挿通させ、それら挿通させた導電糸ＣＴによってリセプタクル型スナップボタン１００を導電布ＣＬに縫い付ける。挿通孔１１４、１２４、及び１３４が仮想中心軸線ＲＶ周りの周方向に均等に配置されているため、リセプタクル型スナップボタン１００を、導電布ＣＬに、バランスよく安定して取り付けることができる。
【００６２】
なお、図２に示す導電糸ＣＴは、リセプタクル型スナップボタン１００を導電布ＣＬに機械的に固定する役割のみならず、電気的に接続する役割も果たす。
【００６３】
即ち、第１リセプタクルコンタクト１１０は、挿通孔１１４に挿通される導電糸ＣＴを通じて、導電布ＣＬが備える配線と電気的に接続される。第２リセプタクルコンタクト１２０は、挿通孔１２４に挿通される導電糸ＣＴを通じて、導電布ＣＬが備える配線と電気的に接続される。第３リセプタクルコンタクト１３０は、挿通孔１３４に挿通される導電糸ＣＴを通じて、導電布ＣＬの配線と電気的に接続される。
【００６４】
また、既述のように、第１リセプタクルコンタクト１１０の露出部１１３、第２リセプタクルコンタクト１２０の露出部１２３、第３リセプタクルコンタクト１３０の露出部１３３の各々は、図３における下方に湾曲している。このため、これら自身も直接的に導電布ＣＬの配線と電気的に接触する。
【００６５】
このように、第１リセプタクルコンタクト１１０、第２リセプタクルコンタクト１２０、及び第３リセプタクルコンタクト１３０の各々は、直接的に、及び導電糸ＣＴを通じて間接的に、導電布ＣＬの配線と電気的に接続される。このため、第１リセプタクルコンタクト１１０、第２リセプタクルコンタクト１２０、及び第３リセプタクルコンタクト１３０と配線との電気的な接続の信頼性が高められる。
【００６６】
次に、プラグ型スナップボタン２００の構成について説明する。
【００６７】
図２に示すように、プラグ型スナップボタン２００は、リセプタクルハウジング１５０と嵌合する絶縁性のハウジングとしてのプラグハウジング２５０と、プラグハウジング２５０に保持されたコンタクト部としてのプラグコンタクト部２４０とを備える。
【００６８】
プラグコンタクト部２４０は、プラグハウジング２５０がリセプタクルハウジング１５０と嵌合したときに、第１リセプタクルコンタクト１１０、第２リセプタクルコンタクト１２０、及び第３リセプタクルコンタクト１３０の各々と電気的に接触する。
【００６９】
具体的には、プラグコンタクト部２４０は、第１リセプタクルコンタクト１１０と電気的に接触するために設けられた導電性のコンタクトとしての第１プラグコンタクト２１０、第２リセプタクルコンタクト１２０と電気的に接触するために設けられた導電性のコンタクトとしての第２プラグコンタクト２２０、及び第３リセプタクルコンタクト１３０と電気的に接触するために設けられた導電性のコンタクトとしての第３プラグコンタクト２３０によって構成されている。
【００７０】
なお、プラグコンタクト部２４０を構成する第１プラグコンタクト２１０、第２プラグコンタクト２２０、及び第３プラグコンタクト２３０は、基板ＢＤが備える３本の配線とも１対１の関係で電気的に接続される。
【００７１】
プラグハウジング２５０は、第１プラグコンタクト２１０、第２プラグコンタクト２２０、及び第３プラグコンタクト２３０を、互いに絶縁された状態で保持している。なお、図２には、第１プラグコンタクト２１０、第２プラグコンタクト２２０、第３プラグコンタクト２３０の一部のみが示されている。
【００７２】
以下、図５に示す製造プロセスに沿って、プラグ型スナップボタン２００の構成を詳細に説明する。
【００７３】
図５に示すように、第２プラグコンタクト２２０の上方に、間隔をあけて第３プラグコンタクト２３０が配置され、さらに第３プラグコンタクト２３０の上方に、間隔をあけて第１プラグコンタクト２１０が配置される。ここで、図５において“上方”とは、仮想中心軸線ＰＶに平行な嵌合方向のうち、図２に示すリセプタクル型スナップボタン１００に近づく向きを指す。
【００７４】
このようにして、第２プラグコンタクト２２０、第３プラグコンタクト２３０、及び第１プラグコンタクト２１０が、嵌合方向に間隔をあけて積み重ねられた状態に支持される。なお、その支持に使用する冶具については図示を省略している。
【００７５】
次に、その積み重ねられた第２プラグコンタクト２２０、第３プラグコンタクト２３０、及び第１プラグコンタクト２１０を図示せぬ金型に収容し、プラグハウジング２５０の材料である樹脂を金型に注入する。これにより、第２プラグコンタクト２２０、第３プラグコンタクト２３０、及び第１プラグコンタクト２１０が、各々部分的に樹脂に埋め込まれた状態となる。
【００７６】
また、第２プラグコンタクト２２０と第３プラグコンタクト２３０との嵌合方向の間隔、及び第３プラグコンタクト２３０と第１プラグコンタクト２１０との間の嵌合方向の間隔にそれぞれ樹脂が進入し、第２プラグコンタクト２２０、第３プラグコンタクト２３０、及び第１プラグコンタクト２１０が互いに絶縁された状態となる。
【００７７】
次に、樹脂が固化した後、金型を取り外すことにより、第２プラグコンタクト２２０、第３プラグコンタクト２３０、及び第１プラグコンタクト２１０がプラグハウジング２５０によって保持された状態のプラグ型スナップボタン２００が完成する。以上のように、プラグ型スナップボタン２００は、インサート成型法を経て製造される。
【００７８】
このようにして成型されたプラグハウジング２５０は、図２に示すリセプタクル型スナップボタン１００と嵌合する形状を有する。具体的には、プラグハウジング２５０は、
リセプタクルハウジング１５０の凹部１５１に進入する進入部２５１を有する。
【００７９】
進入部２５１は、嵌合方向に平行な平面視においては、仮想中心軸線ＰＶを囲む形状をなしている。進入部２５１は、仮想中心軸線ＰＶを中心とする径方向に弾性を有する。進入部２５１に適切な弾性をもたせるために、進入部２５１には、各々仮想中心軸線ＰＶと平行に延びる複数のスリット２５２が、仮想中心軸線ＰＶ周りの周方向に等間隔で形成されている。
【００８０】
図２に示すように、進入部２５１は、仮想中心軸線ＰＶを中心とする径方向に関して、リセプタクルハウジング１５０における膨出部１５４が膨らんでいる向きと逆向き、即ち仮想中心軸線ＰＶから遠ざかる径方向外方に膨らんだ形状の膨出部２５３を有する。膨出部２５３は、リセプタクルハウジング１５０との嵌合時にリセプタクルハウジング１５０の膨出部１５４と接触する程度に膨出している。膨出部２５３は、プラグハウジング２５０とリセプタクルハウジング１５０とが嵌合したときに、弾接部１５２の根元に対して径方向外方に圧接する。
【００８１】
以下、図５に戻って、第１プラグルコンタクト２１０、第２プラグコンタクト２２０、及び第３プラグコンタクト２３０の各々の形状と、これらのプラグハウジング２５０における相対的な配置関係とについて詳細に説明する。
【００８２】
第１プラグルコンタクト２１０、第２プラグコンタクト２２０、及び第３プラグコンタクト２３０の各々は、嵌合方向に平行な平面視において、一方向を長手方向とする形状をなしている。
【００８３】
第２プラグコンタクト２２０は、その長手方向を表す仮想延在軸線ＰＬ２が、仮想中心軸線ＰＶと直交するように配置される。
【００８４】
第２プラグコンタクト２２０は、仮想延在軸線ＰＬ２に沿って延びる薄板状の本体部２２１と、本体部２２１の長手方向の中間部において、各々上方に立ち上がった複数本、具体的には２本の接触部２２２とを有する。
【００８５】
２本の接触部２２２は、嵌合方向に平行な平面視で、仮想中心軸線ＰＶを挟んで向かい合っている。具体的には、２本の接触部２２２は、第３プラグコンタクト２３０の長手方向を表す仮想延在軸線ＰＬ３と平行な方向に向かい合っている。各々の接触部２２２は、図２に示すリセプタクル型スナップボタン１００と電気的に接触するために、プラグハウジング２５０から露出される。
【００８６】
本体部２２１は、その長手方向の両端に、プラグハウジング２５０から露出する露出部２２３を有する。露出部２２３は、取付け対象物としての図２に示す基板ＢＤに接触するように、下方に湾曲した形状を有する。ここで、図５において“下方”とは、仮想中心軸線ＰＶに平行な嵌合方向のうち、図２に示すリセプタクル型スナップボタン１００から遠ざかる向きを指す。また、各々の露出部２２３には、嵌合方向に貫通した挿通孔２２４が形成されている。挿通孔２２４の意義については後述する。
【００８７】
また、本体部２２１は、プラグハウジング２５０に対するぐらつきを抑制して姿勢の安定化を図るために、嵌合方向に平行な平面視で、仮想延在軸線ＰＬ２と交差する方向、具体的には、第１プラグコンタクト２１０の仮想延在軸線ＰＬ１と平行な方向に張り出した張り出し部２２５を有する。張り出し部２２５は、インサート成型時にプラグハウジング２５０内に埋没する。
【００８８】
第３プラグコンタクト２３０は、この第３プラグコンタクト２３０と第２プラグコンタクト２２０の各々を嵌合方向に投影した投影領域が互いに重なりを有するように、第２プラグコンタクト２２０の上方に積み重ねられる。
【００８９】
具体的には、第３プラグコンタクト２３０は、その長手方向を表す仮想延在軸線ＰＬ３が、仮想中心軸線ＰＶと直交し、かつ嵌合方向に平行な平面視において、仮想中心軸線ＰＶの位置で第２プラグコンタクト２２０の仮想延在軸線ＰＬ２と交差するように、第２プラグコンタクト２２０の上方に積み重ねられる。
【００９０】
第３プラグコンタクト２３０は、仮想延在軸線ＰＬ３に沿って延びる薄板状の本体部２３１と、本体部２３１の長手方向の中間部において、各々上方に立ち上がった複数本、具体的には２本の接触部２３２とを有する。
【００９１】
２本の接触部２３２は、嵌合方向に平行な平面視で、仮想中心軸線ＰＶを挟んで向かい合っている。２本の接触部２３２は、第２プラグコンタクト２２０の２本の接触部２２２が向かい合う方向と交差する方向、具体的には直交する方向に、向かい合っている。各々の接触部２３２は、図２に示すリセプタクル型スナップボタン１００と電気的に接触するために、プラグハウジング２５０から露出される。
【００９２】
本体部２３１は、その長手方向の両端に、プラグハウジング２５０から露出する露出部２３３を有する。露出部２３３は、取付け対象物としての図２に示す基板ＢＤに接触するように、下方に湾曲した形状を有する。また、各々の露出部２３３には、嵌合方向に貫通した挿通孔２３４が形成されている。挿通孔２３４の意義については後述する。
【００９３】
また、本体部２３１は、プラグハウジング２５０に対するぐらつきを抑制して姿勢の安定化を図るために、嵌合方向に平行な平面視で、仮想延在軸線ＰＬ３と交差する方向、具体的には、第１プラグコンタクト２１０の仮想延在軸線ＰＬ１と平行な方向に張り出した張り出し部２３５を有する。張り出し部２３５は、インサート成型時にプラグハウジング２５０内に埋没する。
【００９４】
第１プラグコンタクト２１０は、この第１プラグコンタクト２１０と第３プラグコンタクト２３０と第２プラグコンタクト２２０の各々を嵌合方向に投影した投影領域が互いに重なりを有するように、第３プラグコンタクト２３０の上方に積み重ねられる。
【００９５】
具体的には、第１プラグコンタクト２１０は、その長手方向を表す仮想延在軸線ＰＬ１が、仮想中心軸線ＰＶと直交し、かつ嵌合方向に平行な平面視において、仮想中心軸線ＰＶの位置で第２プラグコンタクト２２０の仮想延在軸線ＰＬ２及び第３プラグコンタクト２３０の仮想延在軸線ＰＬ３と交差するように、第３プラグコンタクト２３０の上方に積み重ねられる。
【００９６】
第１プラグコンタクト２１０は、仮想延在軸線ＰＬ１に沿って延びる薄板状の本体部２１１と、本体部２１１の長手方向の中間部において、上方に立ち上がった接触部２１２とを有する。接触部２１２は、仮想中心軸線ＰＶに沿って延在する棒状をなす。接触部２１２は、図２に示すリセプタクル型スナップボタン１００と電気的に接触するために、プラグハウジング２５０から露出される。
【００９７】
本体部２１１は、その長手方向の両端に、プラグハウジング２５０から露出する露出部２１３を有する。露出部２１３は、取付け対象物としての図２に示す基板ＢＤに接触するように、下方に湾曲した形状を有する。また、各々の露出部２１３には、嵌合方向に貫通した挿通孔２１４が形成されている。挿通孔２１４の意義については後述する。
【００９８】
また、本体部２１１は、プラグハウジング２５０に対するぐらつきを抑制して姿勢の安定化を図るために、嵌合方向に平行な平面視で仮想延在軸線ＰＬ１と交差する方向、具体的には、仮想延在軸線ＰＬ１と直交する方向に張り出した張り出し部２１５を有する。張り出し部２１５は、インサート成型時にプラグハウジング２５０内に埋没する。
【００９９】
以上のように、嵌合方向に平行な平面視において、第１プラグコンタクト２１０、第２プラグコンタクト２２０、及び第３プラグコンタクト２３０が、各々を嵌合方向に投影した投影領域が重なりを有するように、仮想延在軸線ＰＬ１、ＰＬ２、及びＰＬ３を仮想中心軸線ＰＶの位置で互いに交差させている状態で、プラグコンタクト部２４０がプラグハウジング２５０に保持されている。
【０１００】
図６に示すように、具体的には、仮想延在軸線ＰＬ１、ＰＬ２、及びＰＬ３は、嵌合方向に平行な平面視において、仮想中心軸線ＰＶ周りの周方向に関して均等な交差角度θ＝６０°を隔てて配置されている。つまり、仮想延在軸線ＰＬ１とＰＬ２の交差角度、仮想延在軸線ＰＬ１とＰＬ３の交差角度、及び仮想延在軸線ＰＬ２とＰＬ３の交差角度は、いずれもθ＝６０°である。
【０１０１】
このように、仮想延在軸線ＰＬ１、ＰＬ２、及びＰＬ３が均等な交差角度θ＝６０°を隔てて配置されているため、第１プラグコンタクト２１０の一対の露出部２１３、第２プラグコンタクト２２０の一対の露出部２２３、及び第３プラグコンタクト２３０の一対の露出部２３３、仮想中心軸線ＰＶ周りの周方向に均等に配置されている。
【０１０２】
これら露出部２１３、２２３、及び２３３は、プラグ型スナップボタン２００の取り付けに利用される。具体的には、図２に示すように、露出部２３３の、基板ＢＤに向かって湾曲した部分が、はんだＳＬによって基板ＢＤと機械的及び電気的に接続される。
【０１０３】
なお、図２には、図６に示す露出部２１３、２２３、及び２３３のうちの、露出部２３３のみが現れているが、露出部２１３及び２２３も同様に、基板ＢＤに向かって湾曲した部分において基板ＢＤにはんだ付けされる。露出部２１３、２２３、及び２３３が仮想中心軸線ＰＶ周りの周方向に均等に配置されているため、プラグ型スナップボタン２００を、基板ＢＤに、バランスよく安定して取り付けることができる。
【０１０４】
なお、図６において、挿通孔２１４、２２４、及び２３４は、プラグ型スナップボタン２００の取り付け態様に汎用性をもたせる意義がある。つまり、プラグ型スナップボタン２００は、取付け対象物が基板ＢＤではなく、既述の導電布ＣＬである場合にも、図２に示すリセプタクル型スナップボタン１００の場合と同様に、挿通孔２１４、２２４、及び２３４に挿通させる導電糸ＣＴによって導電布ＣＬに縫い付けることができる。
【０１０５】
次に、図７Ａと図７Ｂを参照し、プラグ型スナップボタン２００とリセプタクル型スナップボタン１００との嵌合時の態様について説明する。
【０１０６】
図７Ａに示すように、プラグ型スナップボタン２００とリセプタクル型スナップボタン１００との嵌合時には、プラグハウジング２５０の進入部２５１が、リセプタクルハウジング１５０の凹部１５１に進入する。
【０１０７】
そして、進入部２５１の膨出部２５３が、凹部１５１を画定する弾接部１５２の根元に対して、仮想中心軸線ＲＶから遠ざかる径方向外方に圧接する一方、弾接部１５２の膨出部１５４が、進入部２５１の根元に対して、仮想中心軸線ＰＶに近づく径方向内方に圧接する。これにより、プラグハウジング２５０とリセプタクルハウジング１５０とがスナップフィットの態様で嵌合した状態となる。
【０１０８】
既述のように、進入部２５１は、嵌合方向に平行な平面視で仮想中心軸線ＰＶを囲む形状をなし、弾接部１５２も、嵌合方向に平行な平面視で仮想中心軸線ＲＶを囲む形状をなす。このため、プラグハウジング２５０とリセプタクルハウジング１５０は、スナップフィットしたまま、進入部２５１と弾接部１５２とが仮想中心軸線ＰＶ及びＲＶ周りの周方向（以下、単に周方向という。）に摺動するように、周方向の相対回転が可能である。
【０１０９】
次に、プラグハウジング２５０とリセプタクルハウジング１５０とが嵌合しているときの、プラグコンタクト部２４０とリセプタクルコンタクト部１４０との電気的な接触の態様について説明する。
【０１１０】
なお、上述のように、プラグハウジング２５０とリセプタクルハウジング１５０は周方向に相対回転自在であるが、図７Ａと図７Ｂでは、理解を容易にするために、図２と同様、図１に示すように、露出部１１３と２１３、露出部１２３と２２３、及び露出部１３３と２３３の位置がそれぞれ周方向に揃った状態での電気コネクタ対３００の断面を示す。
【０１１１】
図７Ａに示すように、プラグハウジング２５０とリセプタクルハウジング１５０とが嵌合したとき、第１リセプタクルコンタクト１１０と第１プラグコンタクト２１０とが、電気的に接触する。既述のように、第１リセプタクルコンタクト１１０の図３に示す接触部１１２は、嵌合方向に平行な平面視で仮想中心軸線ＲＶを囲む形状をなし、第１プラグコンタクト２１０の図５に示す接触部２１２は、第１リセプタクルコンタクト１１０の図３に示す接触部１１２によって囲まれた状態で接触部１１２に内接する。
【０１１２】
このため、互いに嵌合したプラグハウジング２５０とリセプタクルハウジング１５０とが周方向に相対回転した場合に、第１リセプタクルコンタクト１１０と第１プラグコンタクト２１０との電気的な接触が維持される。
【０１１３】
また、プラグハウジング２５０とリセプタクルハウジング１５０とが嵌合したとき、第２リセプタクルコンタクト１２０と第２プラグコンタクト２２０も電気的に接触する。既述のように、第２リセプタクルコンタクト１２０の図３に示す接触部１２２は、嵌合方向に平行な平面視で仮想中心軸線ＲＶを囲む形状をなし、第２プラグコンタクト２２０の図５に示す接触部２２２は、第２リセプタクルコンタクト１２０の図３に示す接触部１２２によって囲まれた状態で接触部１２２に内接する。
【０１１４】
このため、互いに嵌合したプラグハウジング２５０とリセプタクルハウジング１５０とが周方向に相対回転した場合には、第２リセプタクルコンタクト１２０と第２プラグコンタクト２２０との電気的な接触も維持される。
【０１１５】
図７Ｂに示すように、プラグハウジング２５０とリセプタクルハウジング１５０とが嵌合したとき、第３リセプタクルコンタクト１３０と第３プラグコンタクト２３０も、電気的に接触する。既述のように、第３リセプタクルコンタクト１３０の図３に示す接触部１３２は、嵌合方向に平行な平面視で仮想中心軸線ＲＶを囲む形状をなし、第３プラグコンタクト２３０の図５に示す接触部２３２は、第３リセプタクルコンタクト１３０の図３に示す接触部１３２によって囲まれた状態で接触部１３２に内接する。
【０１１６】
このため、互いに嵌合したプラグハウジング２５０とリセプタクルハウジング１５０とが周方向に相対回転した場合には、第３リセプタクルコンタクト１３０と第３プラグコンタクト２３０との電気的な接触も維持される。
【０１１７】
以上説明した電気コネクタ対３００によれば、次の効果が得られる。
【０１１８】
リセプタクル型スナップボタン１００は、互いに絶縁された第１リセプタクルコンタクト１１０、第２リセプタクルコンタクト１２０、及び第３リセプタクルコンタクト１３０の３つを備える。このため、リセプタクル型スナップボタン１００は、３本の信号線を導通させることが可能である。また、第１リセプタクルコンタクト１１０、第２リセプタクルコンタクト１２０、及び第３リセプタクルコンタクト１３０は、各々を嵌合方向に投影した投影領域が重なりを有するように嵌合方向に積み重ねられている。このため、例えば、第１リセプタクルコンタクト１１０、第２リセプタクルコンタクト１２０、及び第３リセプタクルコンタクト１３０を導電布ＣＬの面内方向に配列する場合に比べて、リセプタクル型スナップボタン１００が導電布ＣＬに占める専有面積を抑えることができる。
【０１１９】
プラグ型スナップボタン２００は、互いに絶縁された第１プラグコンタクト２１０、第２プラグコンタクト２２０、及び第３プラグコンタクト２３０の３つを備える。このため、プラグ型スナップボタン２００は、３本の信号線を導通させることが可能である。また、第１プラグコンタクト２１０、第２プラグコンタクト２２０、及び第３プラグコンタクト２３０は、各々を嵌合方向に投影した投影領域が重なりを有するように嵌合方向に積み重ねられている。このため、例えば、第１プラグコンタクト２１０、第２プラグコンタクト２２０、及び第３プラグコンタクト２３０を基板ＢＤの面内方向に配列する場合に比べて、プラグ型スナップボタン２００が基板ＢＤに占める専有面積を抑えることができる。
【０１２０】
電気コネクタ対３００によれば、３本の配線を導通させることができるので、ウエアとトランスミッタとをつなぐ配線数が３本で足りる場合には、ウエアとトランスミッタとの機械的及び電気的な接続を、１つの電気コネクタ対３００で担うこともできる。このため、この場合に３つの電気コネクタが必須とされる特許文献１の技術と比べて、ウエアに対するトランスミッタの着脱を迅速かつ容易に行える。但し、ウエアに対するトランスミッタの機械的な接続を強化する等のために、複数の電気コネクタ対３００によってウエアとトランスミッタとを接続してもよい。
【０１２１】
互いに嵌合したプラグハウジング２５０とリセプタクルハウジング１５０とが周方向に相対回転した場合にも、リセプタクルコンタクト部１４０とプラグコンタクト部２４０との電気的な接触が維持される。このため、導電布ＣＬによって構成されるウエアを着用したユーザが激しい運動を行った場合でも、プローブとトランスミッタとの導通が断たれにくい。
【０１２２】
また、リセプタクル型スナップボタン１００とプラグ型スナップボタン２００とを嵌合させる際に、両者の周方向の位置を揃えておく必要がないため、リセプタクル型スナップボタン１００とプラグ型スナップボタン２００とを嵌合させる操作を容易に行える。
【０１２３】
リセプタクル型スナップボタン１００は、挿通孔１１４、１２４、及び１３４を有するため、導電糸ＣＴを用いた縫い付けによって、導電布ＣＬに取り付けることができる。リセプタクル型スナップボタン１００の外形寸法を、既製のスナップボタンの外形と整合させることにより、既製のスナップボタンの縫い付けに使用される自動縫製機によって、リセプタクル型スナップボタン１００の縫い付けを行うことができる。
【０１２４】
なお、本実施形態では、プラグ型スナップボタン２００を基板ＢＤに取り付けたが、プラグ型スナップボタン２００も、挿通孔２１４、２２４、及び２３４を有するため、これを縫い付けの態様で取付け対象物に取り付けることもできる。プラグ型スナップボタン２００の外形寸法を既製のスナップボタンの外形と整合させることにより、既製の自動縫製機の使用が可能となる。
【０１２５】
以上、本発明の実施形態について説明したが、本発明はこれに限られない。例えば、以下に述べる変形も可能である。
【０１２６】
上記実施形態では、図２に示したように、リセプタクル型スナップボタン１００が導電布ＣＬに取り付けられ、プラグ型スナップボタン２００が基板ＢＤに取り付けられる場合について述べたが、リセプタクル型スナップボタン１００とプラグ型スナップボタン２００を取り付ける取付け対象物は特に限定されない。
【０１２７】
図８Ａに示すように、プラグ型スナップボタン２００を導電糸ＣＴによって導電布ＣＬに取り付けることもできるし、図８Ｂに示すように、リセプタクル型スナップボタン１００をはんだＳＬによって基板ＢＤに取り付けることもできる。
【０１２８】
上記実施形態では、図３に示したように、接触部１１２、１２２、及び１３２を、嵌合方向に平行な平面視で仮想中心軸線ＲＶを囲む形状としたが、互いに電気的に接触する接触部１１２と２１２の少なくともいずれかが平面視で仮想中心軸線ＲＶ又はＰＶを囲む形状であり、接触部１２２と２２２の少なくともいずれかが平面視で仮想中心軸線ＲＶ又はＰＶを囲む形状であり、接触部１３２と２３２の少なくともいずれかが平面視で仮想中心軸線ＲＶ又はＰＶを囲む形状であれば、プラグハウジング２５０とリセプタクルハウジング１５０とが周方向に相対回転した場合にも、リセプタクルコンタクト部１４０とプラグコンタクト部２４０との電気的な接触を維持することができる。
【０１２９】
上記実施形態では、リセプタクル型スナップボタン１００とプラグ型スナップボタン２００の各々が備えるコンタクトの個数が３つであったが、２つであってもよいし、４つ以上であってもよい。リセプタクル型スナップボタン１００とプラグ型スナップボタン２００の各々が備えるコンタクトの個数は、電気コネクタ対３００が導通させる配線の本数に応じて任意に設計することができる。
【０１３０】
本発明は、その広義の精神と範囲を逸脱することなく、様々な実施形態及び変形が可能とされる。上記実施形態は、本発明を説明するためのものであり、本発明の範囲を限定するものではない。本発明の範囲は、実施形態ではなく、請求の範囲によって示される。請求の範囲内及びそれと同等の発明の意義の範囲内で施される様々な変形が、本発明の範囲内とみなされる。
【符号の説明】
【０１３１】
１００…リセプタクル型スナップボタン（相手電気コネクタ）、
１１０…第１リセプタクルコンタクト（相手コンタクト）、
１１１、１２１、１３１…本体部、
１１２、１２２、１３２…接触部（電気的に接触する部分）、
１１３、１２３、１３３…露出部、
１１４、１２４、１３４…挿通孔、
１２０…第２リセプタクルコンタクト（相手コンタクト）、
１２５、１３５…張り出し部、
１３０…第３リセプタクルコンタクト（相手コンタクト）、
１４０…リセプタクルコンタクト部（相手コンタクト部）、
１５０…リセプタクルハウジング（相手ハウジング）、
１５１…凹部、
１５２…弾接部、
１５３…スリット、
１５４…膨出部、
２００…プラグ型スナップボタン（電気コネクタ）、
２１０…第１プラグコンタクト（コンタクト）、
２１１、２２１、２３１…本体部、
２１２、２２２、２３２…接触部（電気的に接触する部分）、
２１３、２２３、２３３…露出部、
２１４、２２４、２３４…挿通孔、
２１５、２２５、２３５…張り出し部、
２２０…第２プラグコンタクト（コンタクト）、
２３０…第３プラグコンタクト（コンタクト）、
２４０…プラグコンタクト部（コンタクト部）、
２５０…プラグハウジング（ハウジング）、
２５１…進入部、
２５２…スリット、
２５３…膨出部、
３００…電気コネクタ対、
ＲＶ、ＰＶ…仮想中心軸線、
ＲＬ１、ＲＬ２、ＲＬ３、ＰＬ１、ＰＬ２、ＰＬ３…仮想延在軸線、
ＣＬ…導電布（取付け対象物）、
ＣＴ…導電糸（導電性の線状材）、
ＢＤ…基板（取付け対象物）、
ＳＬ…はんだ。
【図１】
2019121512.tif 000003
【図２】
2019121512.tif 000004
【図３】
2019121512.tif 000005
【図４】
2019121512.tif 000006
【図５】
2019121512.tif 000007
【図６】
2019121512.tif 000008
【図７Ａ】
2019121512.tif 000009
【図７Ｂ】
2019121512.tif 000010
【図８Ａ】
2019121512.tif 000011
【図８Ｂ】
2019121512.tif 000012